【手続補正書】
【提出日】平成15年9月5日(2003.9.5)
【手続補正１】
【補正対象書類名】明細書
【補正対象項目名】発明の名称
【補正方法】変更
【補正の内容】
【発明の名称】固体撮像装置とその製造方法
【手続補正２】
【補正対象書類名】明細書
【補正対象項目名】特許請求の範囲
【補正方法】変更
【補正の内容】
【特許請求の範囲】
【請求項１】
相互に電圧レベルが異なる３つ以上の信号を出力する回路が前記電圧レベルと同じ数のスイッチ素子で構成されてなる
ことを特徴とする固体撮像装置。
【請求項２】
前記回路は、相互に電圧レベルが異なる３つの信号を出力し、３つのスイッチ素子で構成されてなる
ことを特徴とする請求項１記載の固体撮像装置。
【請求項３】
前記スイッチ素子は、第１の主電極が相互に電圧レベルが異なる信号を与える３つ以上の電源に接続され、第２の主電極が出力ノードに接続されて成る
ことを特徴とする請求項１記載の固体撮像装置。
【請求項４】
前記スイッチ素子が２つのｎチャネルＭＯＳトランジスタと１つのｐチャネルＭＯＳトランジスタで構成されるか、
又は１つのｎチャネルＭＯＳトランジスタと２つのｐチャネルＭＯＳトランジスタで構成されてなる
ことを特徴とする請求項２記載の固体撮像装置。
【請求項５】
相互に電圧レベルが異なる３つ以上の信号を出力すると共に、前記電圧レベルの数と同数のスイッチ素子で構成された回路を含む固体撮像装置の製造方法であって、
前記スイッチ素子を構成するｎチャネルＭＯＳトランジスタの相互コンダクタンスと前記スイッチ素子を構成するｐチャネルＭＯＳトランジスタの相互コンダクタンスとの比で計算される境界電位を境に、前記境界電位より低い電位を出力させるときは前記スイッチ素子を前記ｎチャネルＭＯＳトランジスタで構成し、
前記境界電位より高い電位を出力させるときは前記スイッチ素子を前記ｐチャネルＭＯＳトランジスタで構成する
ことを特徴とする固体撮像装置の製造方法。
【手続補正３】
【補正対象書類名】明細書
【補正対象項目名】０００１
【補正方法】変更
【補正の内容】
【０００１】
【発明の属する技術分野】
本発明は、３つの電圧レベル（３値）ないしはそれ以上の電圧レベルを出力する回路を有する固体撮像装置とその製造方法に関する。


【手続補正４】
【補正対象書類名】明細書
【補正対象項目名】００１３
【補正方法】変更
【補正の内容】
【００１３】
本発明は、上述の点に鑑み、固体撮像装置の例えば走査回路或いは読み出し・転送駆動回路等において、３値以上を出力する出力段を構成するスイッチ素子数を低減できるようにした固体撮像装置とその製造方法を提供するものである。


【手続補正５】
【補正対象書類名】明細書
【補正対象項目名】００１４
【補正方法】変更
【補正の内容】
【００１４】
【課題を解決するための手段】
本発明に係る固体撮像装置は、相互に電圧レベルが異なる３つ以上の信号を出力する回路を電圧レベルの数と同じ数のスイッチ素子で構成することを特徴とする。
上記回路が電圧レベルの数と同じ数のスイッチ素子で構成されるので、従来に比べて回路規模の縮小化が可能になる。
本発明に係る固体撮像装置の製造方法は、相互に電圧レベルが異なる３つ以上の信号を出力すると共に、電圧レベルの数と同数のスイッチ素子で構成された回路を含む固体撮像装置の製造方法であって、スイッチ素子を構成するｎチャネルＭＯＳトランジスタの相互コンダクタンスとスイッチ素子を構成するｐチャネルＭＯＳトランジスタの相互コンダクタンスとの比で計算される境界電位を境に、境界電位より低い電位を出力させるときはスイッチ素子をｎチャネルＭＯＳトランジスタで構成し、境界電位より高い電位を出力させるときはスイッチ素子をｐチャネルＭＯＳトランジスタで構成することを特徴とする。
境界電位を境に、境界電位より低い電位を出力させるときはスイッチ素子をｎチャネルＭＯＳトランジスタで構成することにより、スイッチ素子のオン抵抗が低くなり中間レベルを出力するスイッチ素子のサイズが最小になる。また、境界電位を境に、境界電位より高い電位を出力させるときはスイッチ素子をｐチャネルＭＯＳトランジスタで構成することにより、スイッチ素子のオン抵抗が低くなり中間レベルを出力するスイッチ素子のサイズが最小になる。
【手続補正６】
【補正対象書類名】明細書
【補正対象項目名】００１５
【補正方法】変更
【補正の内容】
【００１５】
【発明の実施の形態】
本発明に係る固体撮像装置は、相互に電圧レベルが異なる３つ以上の信号を出力する回路を電圧レベルの数と同じ数のスイッチ素子で構成する。


【手続補正７】
【補正対象書類名】明細書
【補正対象項目名】００１６
【補正方法】変更
【補正の内容】
【００１６】
本発明に係る固体撮像装置は、上記回路を相互に電圧レベルが異なる３つの信号を出力し、３つのスイッチ素子で構成する。


【手続補正８】
【補正対象書類名】明細書
【補正対象項目名】００１７
【補正方法】変更
【補正の内容】
【００１７】
本発明に係る固体撮像装置は、スイッチ素子を第１の主電極が相互に電圧レベルの異なる信号を与える３つ以上の電源に接続され、第２の主電極が出力ノードに接続されるように構成する。


【手続補正９】
【補正対象書類名】明細書
【補正対象項目名】００１８
【補正方法】変更
【補正の内容】
【００１８】
本発明に係る固体撮像装置は、スイッチ素子を２つのｎチャネルＭＯＳトランジスタと１つのｐチャネルＭＯＳトランジスタで構成するか、又は１つのｎチャネルＭＯＳトランジスタと２つのｐチャネルＭＯＳトランジスタで構成する。


【手続補正１０】
【補正対象書類名】明細書
【補正対象項目名】００１９
【補正方法】変更
【補正の内容】
【００１９】
本発明に係る固体撮像装置の製造方法は、相互に電圧レベルが異なる３つ以上の信号を出力すると共に、電圧レベルの数と同数のスイッチ素子で構成された回路を含む固体撮像装置の製造方法であって、スイッチ素子を構成するｎチャネルＭＯＳトランジスタの相互コンダクタンスとスイッチ素子を構成するｐチャネルＭＯＳトランジスタの相互コンダクタンスとの比で計算される境界電位を境に、境界電位より低い電位を出力させるときはスイッチ素子をｎチャネルＭＯＳトランジスタで構成し、境界電位より高い電位を出力させるときはスイッチ素子をｐチャネルＭＯＳトランジスタで構成することを特徴とする。
【手続補正１１】
【補正対象書類名】明細書
【補正対象項目名】００４６
【補正方法】変更
【補正の内容】
【００４６】
【発明の効果】
本発明に係る固体撮像装置によれば、相互に電圧レベルが異なる３つの信号、もしくは３つ以上の信号を出力する回路がその電圧レベルの数と同じ数のスイッチ素子で構成されることにより、固体撮像装置の例えば走査回路、或いは転送駆動回路の出力段のスイッチ素子を減らすことができ、従って、出力段の占有面積を小さくすることができ、同時に、このスイッチ素子を制御するパルスを作る論理回路の規模も縮小することができる。これによって固体撮像装置の小型化を図ることができる。


【手続補正１２】
【補正対象書類名】明細書
【補正対象項目名】００４８
【補正方法】変更
【補正の内容】
【００４８】
本発明に係る固体撮像装置の製造方法によれば、スイッチ素子を構成するｎチャネルＭＯＳトランジスタの相互コンダクタンスとスイッチ素子を構成するｐチャネルＭＯＳトランジスタの相互コンダクタンスとの比で計算される境界電位を境に、境界電位より低い電位を出力させるときはスイッチ素子をｎチャネルＭＯＳトランジスタで構成し、境界電位より高い電位を出力させるときはスイッチ素子をｐチャネルＭＯＳトランジスタで構成すれば、スイッチ素子のオン抵抗が低くなり中間レベルを出力するスイッチ素子のサイズを最小にすることができる。これにより、小型化された固体撮像装置を製造することができる。